(57)【要約】      （修正有）【課題】コンロの加熱時に発生する余熱を使って湯を沸かす省エネ対応のドーナツ形状のやかんを提供する。【解決手段】中央部に空洞を有したドーナツ形状をし、上面に載せる調理器具９の底全面に熱が行き渡るよう鉢状の傾斜８を有し、やかん１の空洞６内面と底面１３に熱吸収羽７を、やかん１内部に熱伝導用の羽１６を装備したコンロ１７で調理をする際、やかん１に調理器具９を載せることで、空気中に放出され無駄になる熱エネルギーを利用して同時に湯を沸かすことが出来る。１つのコンロで調理と湯を同時に沸かすことが出来れば、エネルギー消費量およびコスト、二酸化炭素排出量も半分にすることが可能である。【選択図】図６
0003147267.tif 000002
【実用新案登録請求の範囲】
【請求項１】
中央部に空洞を有したドーナツ形状をし、空洞部側面に熱吸収用の羽を装備、底面に耐重強化兼熱吸収用の羽を装備、内部に熱伝導用の羽を装備し、上面に鍋などの調理器具を載せてガスコンロに載せると、炎の熱が調理器具に伝わりつつ、その余熱で湯を沸かせるやかん。
【請求項２】
上面にすり鉢状の傾斜（階段状、らせん状なども含む）を有し、上に載せる鍋などの調理器具底面の大きさに対応、底全面に熱が行き渡りつつ、調理器具側面からは熱が逃げにくい構造を持ち、ガスコンロに載せると、炎の熱が調理器具に伝わりつつ、その余熱で湯を沸かせるやかん。
【請求項３】
中央部を縦に円柱状に空洞を有したドーナツ形状をし、空洞部に鍋などの調理器具を通して、電磁調理器に載せると調理器具と同時に加熱して湯を沸かせるやかん。
【請求項４】
中央部に空洞を有したドーナツ形状をし、上に鍋などの調理器具を載せて、ゴトク代わりにガスコンロに設置すると炎の熱が調理器具まで伝わりつつ、その余熱で湯を沸かせるゴトク一体型のやかん。
【請求項５】
収納の際、重ね置きが可能で、重ねた状態でもガスコンロなどで加熱が可能なやかん。
【考案の詳細な説明】
【技術分野】
【０００１】本考案は、コンロの加熱時に発生する余熱を使って湯を沸かす省エネ対応のドーナツ形状のやかんに関する。
【背景技術】
【０００２】やかんは一般的には湯を沸かすのに単体で使用される。
ガスコンロを使った調理時の加熱は、熱エネルギーが空気中に流れるため、半分近くが無駄になっている。
【考案の開示】
【考案が解決しようとする課題】
【０００３】従来のやかんには、次のような解決すべき課題があった。
１．コンロで調理をする際、熱エネルギーの半分近くが無駄になっているという課題がある。
２．被災などの緊急時やキャンプなどの屋外生活、また家庭において、コンロの数が不足するという課題がある。
３．エネルギー消費量削減および二酸化炭素排出量削減という課題がある。
【課題を解決するための手段】
【０００４】本考案は以上の点を解決するために、次のような構成を採用する。【０００５】＜構成１＞
中央部に空洞を有したドーナツ形状をし、空洞部側面に熱吸収用の羽を装備、底面に耐重強化兼熱吸収用の羽を装備、内部に熱伝導用の羽を装備し、上面に鍋などの調理器具を載せてガスコンロに載せると、炎の熱が調理器具に伝わりつつ、その余熱で湯を沸かせるやかん。【０００６】＜構成２＞
上面にすり鉢状の傾斜（階段状、らせん状なども含む）を有し、上に載せる鍋などの調理器具底面の大きさに対応、底全面に熱が行き渡りつつ、調理器具側面からは熱が逃げにくい構造を持ち、ガスコンロに載せると、炎の熱が調理器具に伝わりつつ、その余熱で湯を沸かせるやかん。【０００７】＜構成３＞
中央部を縦に円柱状に空洞を有したドーナツ形状をし、空洞部に鍋などの調理器具を通して、電磁調理器に載せると調理器具と同時に加熱して湯を沸かせるやかん。【０００８】＜構成４＞
中央部に空洞を有したドーナツ形状をし、上に鍋などの調理器具を載せて、ゴトク代わりにガスコンロに設置すると炎の熱が調理器具まで伝わりつつ、その余熱で湯を沸かせるゴトク一体型のやかん。【０００９】＜構成５＞
収納の際、重ね置きが可能で、重ねた状態でもガスコンロなどで加熱が可能なやかん。
【考案の効果】
【００１０】本考案のやかんには次のような効果がある。
１．調理器具との同時使用により、余熱を利用し湯を沸かせるため、省エネルギーおよびコスト削減ができる。
２．調理器具との同時使用により、湯を沸かす時間が短縮できる。
３．コンロが足りない環境下で調理と同時に湯を沸かすことができる。
４．二酸化炭素排出量を削減することが出来る。
【図面の簡単な説明】
【００１１】
【図１】この考案のやかんの俯瞰図（ガスコンロ用）を示す。
【図２】この考案のやかんの俯瞰図（センサー付ガスコンロ用ゴトク一体型）を示す。
【図３】この考案のやかんの俯瞰図（電磁調理器用）を示す。
【図４】この考案のやかんの上面図（ガスコンロ用）を示す。
【図５】この考案のやかんの底面図（ガスコンロ用）を示す。
【図６】この考案のやかんの断面図（ガスコンロ用）を示す。
【図７】この考案のやかんの上面図（センサー付ガスコンロ用ゴトク一体型）を示す。
【図８】この考案のやかんの底面図（センサー付ガスコンロ用ゴトク一体型）を示す。
【図９】この考案のやかんの断面図（センサー付ガスコンロ用ゴトク一体型）を示す。
【図１０】この考案のやかんの上面図（電磁調理器用）を示す。
【図１１】この考案のやかんの底面図（電磁調理器用）を示す。
【図１２】この考案のやかんの断面図（電磁調理器用）を示す。
【図１３】この考案のやかんを重ねて加熱した際の俯瞰図（ガスコンロ用）を示す。
【図１４】この考案のやかんを重ねて加熱した際の断面図（ガスコンロ用）を示す。
【図１５】この考案のやかんを重ねて取っ手を取り外し、収納した際の俯瞰図を示す。
【図１６】この考案のやかんを重ねて取っ手を取り外し、収納した際の断面図を示す。
【符号の説明】
【００１２】１    やかん本体
２    取り外し可能な取っ手
３    注ぎ口
４    ふた
５    ふたの取っ手
６    空洞
７    熱吸収用の羽（空洞側面）
８    傾斜
９    鍋などの調理器具
１０  ゴトク
１１  通気孔
１２  ガスコンロのセンサー
１３  熱吸収および耐重強化用の羽（底面）
１４  単体で使う場合に火を受ける場所
１５  重ね置き用の溝（ジョイント部）
１６  熱伝導用の羽（やかん内部）
１７  ガスコンロ
１８  炎
１９  水
２０  センサー付きガスコンロ
２１  電磁調理器
２２  取っ手の取り付け具（取り付け部分）
【図１】
0003147267.tif 000003
【図２】
0003147267.tif 000004
【図３】
0003147267.tif 000005
【図４】
0003147267.tif 000006
【図５】
0003147267.tif 000007
【図６】
0003147267.tif 000008
【図７】
0003147267.tif 000009
【図８】
0003147267.tif 000010
【図９】
0003147267.tif 000011
【図１０】
0003147267.tif 000012
【図１１】
0003147267.tif 000013
【図１２】
0003147267.tif 000014
【図１３】
0003147267.tif 000015
【図１４】
0003147267.tif 000016
【図１５】
0003147267.tif 000017
【図１６】
0003147267.tif 000018
【手続補正書】
【提出日】平成20年9月19日(2008.9.19)
【手続補正１】
【補正対象書類名】実用新案登録請求の範囲
【補正対象項目名】請求項５
【補正方法】変更
【補正の内容】
【請求項５】
上面にすり鉢状の傾斜（階段状、らせん状なども含む）を有し、中央部に空洞を有したドーナツ形状をし、底面外周と上面外周に、凹状の溝や凸状の縁などを装備、凸凹がはまる事により、複数重ねても安定した構造を有し、複数重ねた最上面に鍋などの調理器具を載せてガスコンロに載せると、炎の熱が調理器具に伝わりつつ、その余熱が、重ねたやかんの空洞内面部、底面、上面に伝わり湯を沸かせるやかん。